(57)【要約】【課題】装置の簡素化及びコストの増大抑制を効果的に図ることができるとともに、極めて良好な清掃性を得ることができる排水栓装置を提供する。【解決手段】排水栓装置１は、排水口部材２と、排水口部材２に接続される配管３と、支持軸４１を有する支持軸機構４と、支持軸４１に取付けられた栓蓋５とを備える。配管３は、第１配管部３１、第２配管部３２及び両配管部３１，３２を連結する連結管部３３を有する。支持軸機構４は、連結管部３３に接触することで支持され、上方側に向けた力を加えられることで上方から引抜可能に構成される。支持軸機構４を引抜いた状態において、排水口部材２の内周面、第１配管部３１のうち排水口部材２よりも下方に位置する部位の内周面、及び、連結管部３３の内周面は滑面状とされる。【選択図】      図１
2016017382.tif 000002
【特許請求の範囲】
【請求項１】
槽体の排水口に挿設される筒状の排水口部材と、
前記排水口部材に接続され、排水の流路となる配管と、
上下動可能な支持軸を有するとともに、前記排水口部材及び前記配管のうち少なくとも前記配管の内周に配置される支持軸機構と、
前記支持軸の上端部に取付けられるとともに、前記槽体又は前記排水口部材に接触することで前記排水口を閉鎖可能な栓蓋とを備え、
前記支持軸機構は、前記栓蓋の上面に対する押動により、前記支持軸を所定の上方位置にて保持することと、前記支持軸を所定の下方位置にて保持することとを交互に行うことが可能な排水栓装置であって、
前記配管は、
前記排水口部材に接続される筒状の第１配管部と、
前記第１配管部とは異なる方向に延びる筒状の第２配管部と、
前記第１配管部及び前記第２配管部を連結する筒状の連結管部とを有し、
前記支持軸機構は、少なくとも前記支持軸を前記上方位置にて保持しているときにおいて、前記連結管部の内周面のうち、前記支持軸機構の鉛直下方に位置する面に接触することで支持され、
前記支持軸機構に対して上方側に向けた力を加えることで、上方から前記支持軸機構を引抜可能であり、
前記支持軸機構を引抜いた状態において、前記排水口部材の内周面、前記第１配管部のうち前記排水口部材よりも下方に位置する部位の内周面、及び、前記連結管部の内周面は滑面状であることを特徴とする排水栓装置。
【請求項２】
前記支持軸に対して前記栓蓋が着脱可能であることを特徴とする請求項１に記載の排水栓装置。
【請求項３】
前記栓蓋に対して上方側に向けた力を加えることで、上方から前記栓蓋及び前記支持軸機構を引抜可能であるとともに、
前記支持軸の軸方向に沿って前記栓蓋及び前記支持軸を離間させる力を加えることで、前記支持軸から前記栓蓋を取外可能であり、
前記栓蓋に力を加えて、前記栓蓋及び前記支持軸機構を引抜く際に必要な力が、前記支持軸から前記栓蓋を取外す際に必要な力よりも小さいことを特徴とする請求項１又は２に記載の排水栓装置。
【請求項４】
前記支持軸機構は、
前記支持軸の外周に配置される筒状部と、
前記筒状部から外周側に向けて突出する移動規制手段とを有し、
前記移動規制手段は、前記槽体、前記排水口部材又は前記配管の内周面に接触することで、前記支持軸機構のその径方向に沿った移動を規制するように構成されていることを特徴とする請求項１乃至３のいずれか１項に記載の排水栓装置。
【請求項５】
前記移動規制手段は、
自身の外周部分の全周が、前記槽体、前記排水口部材又は前記配管の内周面にほぼ接触する環状の円環部と、
前記筒状部及び前記円環部間に位置するネット部とを備えるヘアキャッチャーであることを特徴とする請求項４に記載の排水栓装置。
【請求項６】
前記支持軸機構は、下方に向けて延びる機構支持部を有するとともに、前記機構支持部の下端部が前記連結管部の内周面に接触することで支持されるように構成されており、
前記機構支持部は、自身の長さを変更可能な長さ調節手段を備えることを特徴とする請求項１乃至５のいずれか１項に記載の排水栓装置。
【請求項７】
前記機構支持部は、前記長さ調節手段と一体化されるとともに、前記支持軸機構に加えられた下方側への力を吸収するショックアブソーバー手段を備えることを特徴とする請求項６に記載の排水栓装置。
【請求項８】
前記支持軸の軸方向に沿った前記支持軸に対する前記栓蓋の相対位置を調節可能な栓蓋上下位置調節手段を備えることを特徴とする請求項１乃至７のいずれか１項に記載の排水栓装置。
【請求項９】
前記支持軸機構のうち前記連結管部の内周面に接触する部位又はその近傍部位、及び、前記配管のうち前記支持軸機構の鉛直下方に位置する部位の一方には、第１の磁石が設けられるとともに、
前記支持軸機構のうち前記連結管部の内周面に接触する部位又はその近傍部位、及び、前記配管のうち前記支持軸機構の鉛直下方に位置する部位の他方には、前記連結管部により前記支持軸機構を支持している状態において、前記第１の磁石に引き寄せられる磁性体又は第２の磁石が設けられることを特徴とする請求項１乃至８のいずれか１項に記載の排水栓装置。
【発明の詳細な説明】
【技術分野】
【０００１】
本発明は、槽体の排水口に設けられる排水栓装置に関する。
【背景技術】
【０００２】
従来、槽体（例えば、浴槽や洗面ボール等）に設けられる排水栓装置としては、槽体の排水口に設けられる排水口部材と、排水口部材の内周に配置されるとともに、上下動可能な支持軸を有してなる支持軸機構と、前記支持軸に取付けられ、排水口を開閉可能な栓蓋とを備えたものが知られている。
【０００３】
また、支持軸機構において、前記栓蓋を押動する度に、前記支持軸を所定の上方位置にて保持すること（つまり、排水口を開状態とすること）と、前記支持軸を所定の下方位置にて保持すること（つまり、排水口を閉状態とすること）とを交互に行うことが可能な機構部（例えば、スラストロック機構）を設ける技術が提案されている（例えば、特許文献１等参照）。当該特許文献に記載の技術において、支持軸機構（機構部）は下方に向けて延びる支持部材を備えている。そして、排水口部材の内部に横架された支持橋に対して支持部材の端部が当接することで、支持軸機構（機構部）が支持されるようになっている。
【先行技術文献】
【特許文献】
【０００４】
【特許文献１】特開平１０−１０２５６６号公報
【発明の概要】
【発明が解決しようとする課題】
【０００５】
しかしながら、上記技術では、支持軸機構（機構部）を支持するための部位（支持橋）を別途設ける必要があり、装置の複雑化ひいてはコストの増大を招いてしまうおそれがある。また、支持軸機構を取外すことができても、排水口部材の内部に支持橋が存在することとなってしまう。そのため、支持橋が邪魔となり、排水口部材やその奥に位置する配管の清掃に支障が生じてしまうおそれがある。
【０００６】
本発明は、上記事情に鑑みてなされたものであり、その目的は、装置の簡素化及びコストの増大抑制を効果的に図ることができるとともに、極めて良好な清掃性を得ることができる排水栓装置を提供することにある。
【課題を解決するための手段】
【０００７】
以下、上記目的を解決するのに適した各手段につき、項分けして説明する。なお、必要に応じて対応する手段に特有の作用効果を付記する。
【０００８】
手段１．槽体の排水口に挿設される筒状の排水口部材と、
前記排水口部材に接続され、排水の流路となる配管と、
上下動可能な支持軸を有するとともに、前記排水口部材及び前記配管のうち少なくとも前記配管の内周に配置される支持軸機構と、
前記支持軸の上端部に取付けられるとともに、前記槽体又は前記排水口部材に接触することで前記排水口を閉鎖可能な栓蓋とを備え、
前記支持軸機構は、前記栓蓋の上面に対する押動により、前記支持軸を所定の上方位置にて保持することと、前記支持軸を所定の下方位置にて保持することとを交互に行うことが可能な排水栓装置であって、
前記配管は、
前記排水口部材に接続される筒状の第１配管部と、
前記第１配管部とは異なる方向に延びる筒状の第２配管部と、
前記第１配管部及び前記第２配管部を連結する筒状の連結管部とを有し、
前記支持軸機構は、少なくとも前記支持軸を前記上方位置にて保持しているときにおいて、前記連結管部の内周面のうち、前記支持軸機構の鉛直下方に位置する面に接触することで支持され、
前記支持軸機構に対して上方側に向けた力を加えることで、上方から前記支持軸機構を引抜可能であり、
前記支持軸機構を引抜いた状態において、前記排水口部材の内周面、前記第１配管部のうち前記排水口部材よりも下方に位置する部位の内周面、及び、前記連結管部の内周面は滑面状であることを特徴とする排水栓装置。
【０００９】
上記手段１によれば、支持軸機構は、連結管部の内周面のうち支持軸機構の鉛直下方に位置する面に接触することで上下方向に支持される。つまり、上記手段１によれば、排水口部材や配管とは別に、支持軸機構を支持するための部材を別途設ける必要がない。従って、装置の簡素化及びコストの抑制を効果的に図ることができる。
【００１０】
さらに、上記手段１によれば、支持軸機構に対して上方側に向けた力を加えることで、支持軸機構を配管及び排水口部材から引抜くことができる。そして、支持軸機構を引抜いた状態において、排水口部材や連結管部等の内周面は滑面状とされており、大きな突起等が存在しない状態とされている。従って、排水口部材やその奥に位置する連結管部等の内部を非常に容易に清掃することができ、極めて良好な清掃性を実現することができる。
【００１１】
尚、「滑面状である」とあるのは、基本的には径方向内側に突出する段差や突起が存在していないことを意味するが、突起等が全く存在しない、厳密な滑面となっている場合に限らず、径方向内側に向けて若干突出する微小な（例えば、径方向に沿った突出量が３ｍｍ以下の、より好ましくは２ｍｍ以下の）突起や段差が存在する場合も含む。
【００１２】
手段２．前記支持軸に対して前記栓蓋が着脱可能であることを特徴とする手段１に記載の排水栓装置。
【００１３】
上記手段２によれば、支持軸機構と栓蓋とを別体とすることができるため、栓蓋及び支持軸機構を個別に清掃することができる。その結果、清掃性を一層高めることができる。
【００１４】
手段３．前記栓蓋に対して上方側に向けた力を加えることで、上方から前記栓蓋及び前記支持軸機構を引抜可能であるとともに、
前記支持軸の軸方向に沿って前記栓蓋及び前記支持軸を離間させる力を加えることで、前記支持軸から前記栓蓋を取外可能であり、
前記栓蓋に力を加えて、前記栓蓋及び前記支持軸機構を引抜く際に必要な力が、前記支持軸から前記栓蓋を取外す際に必要な力よりも小さいことを特徴とする手段１又は２に記載の排水栓装置。
【００１５】
上記手段３によれば、栓蓋及び支持軸機構を配管等から引抜く際に必要な力が、支持軸から栓蓋を取外す際に必要な力よりも小さくなるように構成されている。従って、栓蓋を上方側へと引き上げることで、支持軸から栓蓋が外れることなく、栓蓋及び支持軸機構を引抜くことができ、栓蓋や支持軸機構の取外しが非常に容易なものとなる。その結果、清掃性をより向上させることができる。また、修理時などにおけるメンテナンス性を高めることができる。
【００１６】
手段４．前記支持軸機構は、
前記支持軸の外周に配置される筒状部と、
前記筒状部から外周側に向けて突出する移動規制手段とを有し、
前記移動規制手段は、前記槽体、前記排水口部材又は前記配管の内周面に接触することで、前記支持軸機構のその径方向に沿った移動を規制するように構成されていることを特徴とする手段１乃至３のいずれかに記載の排水栓装置。
【００１７】
尚、「前記支持軸機構のその径方向に沿った移動を規制する」とあるのは、支持軸機構がその径方向に沿って全く移動できないように規制する場合だけでなく、支持軸機構がその径方向に沿って若干だけ（例えば、径方向に沿って２ｍｍ以下だけ）移動できる場合も含む。
【００１８】
上記手段４によれば、移動規制手段により、支持軸機構のその径方向に沿った移動を規制することで、支持軸機構に傾きが生じてしまうことを抑制できる。従って、支持軸ひいてはこれに取付けられる栓蓋に傾きが生じてしまうことをより確実に防止でき、排水口を閉鎖するときに、槽体等に対し栓蓋をより確実に密着させることができる。その結果、排水口の閉鎖時において、良好な水密性を確保することができる。
【００１９】
手段５．前記移動規制手段は、
自身の外周部分の全周が、前記槽体、前記排水口部材又は前記配管の内周面にほぼ接触する環状の円環部と、
前記筒状部及び前記円環部間に位置するネット部とを備えるヘアキャッチャーであることを特徴とする手段４に記載の排水栓装置。
【００２０】
尚、「ほぼ接触する」とあるのは、円環部の外周部分全周が排水口部材等に接触している場合のみならず、円環部の外周部分と排水口部材等との間に若干（例えば、径方向に沿った幅が１ｍｍ以下）の隙間が形成されている場合も含む。
【００２１】
上記手段５によれば、ヘアキャッチャーにより、移動規制手段が構成されている。つまり、毛髪やゴミ等の捕集といったヘアキャッチャーの本来的な機能に加えて、支持軸機構の傾き抑制機能をも得ることができる。
【００２２】
また、上記手段５によれば、円環部の外周部分が全周に亘って排水口部材等の内周面にほぼ接触するように構成されている。そのため、円環部の外側から毛髪やゴミ等が流れてしまうことを抑制でき、毛髪やゴミ等をより確実に捕集することができる。
【００２３】
手段６．前記支持軸機構は、下方に向けて延びる機構支持部を有するとともに、前記機構支持部の下端部が前記連結管部の内周面に接触することで支持されるように構成されており、
前記機構支持部は、自身の長さを変更可能な長さ調節手段を備えることを特徴とする手段１乃至５のいずれかに記載の排水栓装置。
【００２４】
長さ（例えば、第１配管部の長さ）の種々異なる配管を用いた場合、配管の長さに応じて、配管のうち支持軸機構を支持する部位と、槽体や排水口部材のうち、排水口を閉鎖する際に栓蓋と接触する部位（以下、「接触対象部」と称することがある）との間の上下方向に沿った距離に違いが生じることとなる。また、この場合には、少なくとも支持軸を上方位置にて保持しているとき（つまり、排水口を開放しているとき）に、接触対象部に対する栓蓋の上下方向に沿った相対位置にも違いが生じることとなる。このように接触対象部に対する栓蓋の相対位置に違いが生じ、栓蓋の配置位置が狙いの位置よりも上方になってしまうと、排水口を閉鎖する際に、接触対象部と栓蓋とを十分に密着させることができず、水密性の低下を招いてしまうおそれがある。また、栓蓋の配置位置が狙いの位置よりも下方になってしまうと、排水口の開放時に、接触対象部と栓蓋とが接近し過ぎて通水面積を十分に確保することができず、排水性能の低下を招いてしまうおそれがある。
【００２５】
これに対し、配管の長さ（深さ）の違いに対応するために、多数の支持軸機構を用意することが考えられる。しかし、この場合には、多数の支持軸機構から適切な支持軸機構を選択する等の作業が必要となるため、設置作業が煩雑となってしまう。また、多数の支持軸機構を用意することに伴うコストの増大を招いてしまうおそれがある。
【００２６】
この点、上記手段６によれば、長さ調節手段により機構支持部の長さを変更することで、接触対象部に対する栓蓋の上下方向に沿った相対位置をより確実に狙いの位置とすることができる。従って、排水口の閉鎖時には、接触対象部に対して栓蓋をより確実に密着させることができ、排水口の開放時には、通水面積を十分に確保することができる。つまり、良好な水密性及び排水性能を得ることができる。
【００２７】
また、上記手段６によれば、配管の長さ（深さ）の違いに対応するために、多数の支持軸機構を用意する必要がなくなる。つまり、１又はごく少数の支持軸機構で長さ（深さ）の異なる様々な配管に対応することができる。従って、装置の設置作業を簡便にできるとともに、コストの抑制を図ることができる。
【００２８】
手段７．前記機構支持部は、前記長さ調節手段と一体化されるとともに、前記支持軸機構に加えられた下方側への力を吸収するショックアブソーバー手段を備えることを特徴とする手段６に記載の排水栓装置。
【００２９】
上記手段７によれば、栓蓋を手で押し込んだり、栓蓋を踏みつけたりすること等によって、支持軸機構へと下方側に向けた力が加わった場合であっても、ショックアブソーバー手段によって、支持軸機構から配管へと大きな力が加わってしまうことをより確実に防止できる。これにより、配管の破損をより確実に防止することができる。
【００３０】
また、上記手段７によれば、ショックアブソーバー手段は、長さ調節手段と一体化されている。そのため、機構支持部の簡素化を図ることができる。
【００３１】
手段８．前記支持軸の軸方向に沿った前記支持軸に対する前記栓蓋の相対位置を調節可能な栓蓋上下位置調節手段を備えることを特徴とする手段１乃至７のいずれかに記載の排水栓装置。
【００３２】
上記手段８によれば、栓蓋上下位置調節手段により、支持軸の軸方向に沿った、支持軸に対する栓蓋の相対位置を調節することができる。従って、少なくとも支持軸を上方位置にて保持しているとき（つまり、排水口を開放しているとき）における、接触対象部と栓蓋との上下方向に沿った相対位置を調節することができる。これにより、接触対象部に対する栓蓋の上下方向に沿った相対位置をより確実に狙いの位置とすることができる。その結果、排水口の閉鎖時には、接触対象部に栓蓋をより確実に密着させることができ、排水口の開放時には、通水面積を十分に確保することができる。つまり、良好な水密性及び排水性能を得ることができる。
【００３３】
また、上記手段８によれば、１又はごく少数の支持軸機構で長さの異なる様々な配管に対応することができる。従って、装置の設置作業を簡便にできるとともに、コストの抑制を図ることができる。
【００３４】
手段９．前記支持軸機構のうち前記連結管部の内周面に接触する部位又はその近傍部位、及び、前記配管のうち前記支持軸機構の鉛直下方に位置する部位の一方には、第１の磁石が設けられるとともに、
前記支持軸機構のうち前記連結管部の内周面に接触する部位又はその近傍部位、及び、前記配管のうち前記支持軸機構の鉛直下方に位置する部位の他方には、前記連結管部により前記支持軸機構を支持している状態において、前記第１の磁石に引き寄せられる磁性体又は第２の磁石が設けられることを特徴とする手段１乃至８のいずれかに記載の排水栓装置。
【００３５】
上記手段９によれば、第１の磁石と磁性体又は第２の磁石とにより、支持軸機構が、配管のうちその鉛直下方に位置する部位へと引き寄せられることとなる。従って、支持軸機構のその径方向に沿った移動をより確実に規制することができる。また、仮に支持軸機構が移動したとしても、磁力により支持軸機構を適正な位置へと戻らせることも期待できる。その結果、支持軸機構に傾きが生じてしまうことをより確実に抑制でき、排水口の閉鎖時における水密性を一層高めることができる。
【００３６】
また、栓蓋は、重力に加えて、磁力が作用することで、下方に向けてより強く押付けられた状態となる。従って、排水口の閉鎖時において、槽体又は排水口部材に対し栓蓋をより確実に密着させることができる。その結果、上述の通り、支持軸機構の傾き抑制が図られることと相俟って、排水口の閉鎖時における水密性を格段に向上させることができる。
【図面の簡単な説明】
【００３７】
【図１】排水口の閉鎖時における排水栓装置を示す断面図である。
【図２】排水口の開放時における排水栓装置を示す断面図である。
【図３】排水口部材及び配管からの栓蓋及び支持軸機構の引抜きについて説明するための断面図である。
【図４】長さ調節手段等の構成を示す断面図である。
【図５】長さ調節手段と一体化されたショックアブソーバー手段等の構成を示す断面図である。
【図６】栓蓋上下位置調節手段等の構成を示す断面図である。
【図７】第１の磁石が設けられた支持軸機構、及び、第２の磁石が設けられた配管を示す断面図である。
【図８】（ａ），（ｂ）は、第２の磁石の配設位置の別例を示す部分拡大断面図である。
【図９】第１の磁石の配設位置の別例を示す部分拡大断面図である。
【発明を実施するための形態】
【００３８】
以下に、一実施形態について図面を参照しつつ説明する。図１に示すように、排水栓装置１は、槽体としての洗面ボール１００に形成された排水口１０１に挿設されている。本実施形態において、洗面ボール１００は、下方に向けて延びる筒状の垂下部１０２と、垂下部１０２の下端から径方向内側に向けて突出する環状の張出部１０３とを備えている。そして、張出部１０３の内周に、前記排水口１０１が形成されている。
【００３９】
排水栓装置１は、排水口１０１に挿通される排水口部材２と、洗面ボール１００の背面側に設けられる配管３と、排水口部材２及び配管３の内周に配置される支持軸機構４と、支持軸機構４に取付けられた栓蓋５とを備えている。
【００４０】
排水口部材２は、所定の樹脂（例えば、ＰＯＭ等）により筒状に形成されており、自身の中心軸と前記排水口１０１の中心軸とがほぼ一致するように排水口１０１に挿設されている。排水口部材２の内周空間は、洗面ボール１００に貯留された水等を排出するための排水流路を構成している。
【００４１】
また、排水口部材２は、その上端部に、外周側に突出形成された環状の鍔部２１を有し、当該鍔部２１よりも下方側の外周に、雄ねじ部２２を備えている。鍔部２１は、自身の外周面と垂下部１０２の内周面との間に、弾性変形可能な材料（例えば、樹脂やゴム等）により形成された環状の封止部材６が配置された状態で、張出部１０３の上面に載置されている。尚、封止部材６は、鍔部２１及び垂下部１０２で挟み込まれた状態となっており、封止部材６により、洗面ボール１００及び排水口部材２間からの漏水防止が図られている。
【００４２】
また、本実施形態において、排水口部材２の内周面は、径方向内側に向けて突出する突起や段差、凹みが存在しない滑面状とされている。
【００４３】
配管３は、所定の樹脂により筒状に形成されている。また、配管３は、第１配管部３１、第２配管部３２及び連結管部３３を備えたＬ字状をなしている。
【００４４】
第１配管部３１は、鉛直方向に沿って延びるとともに、その一端部（上端部）内周に前記雄ねじ部２２を螺合可能な雌ねじ部３１Ａを備えている。そして、前記雄ねじ部２２が雌ねじ部３１Ａに螺合され、鍔部２１及び第１配管部３１の上端面により張出部１０３を挟み込むことで、配管３は、排水口部材２に接続されるとともに、洗面ボール１００に取付けられている。これにより、排水口１０１（排水口部材２の内周）を通る排水は、配管３の内部へと流れ落ちるようになっている。すなわち、配管３は、排水口１０１（排水口部材２の内周）を通る排水の流路となるように構成されている。尚、本実施形態において、第１配管部３１のうち排水口部材２の下方に位置する部位は、排水口部材２の最下部の内径と同一の内径を有している。さらに、配管３の上端面と洗面ボール１００との間には、弾性変形可能な材料により形成されたパッキン８が介在されており、当該パッキン８によって、配管３及び洗面ボール１００間からの漏水防止が図られている。
【００４５】
第２配管部３２は、第１配管部３１の延びる方向とは異なる方向（本実施形態では、水平方向）に延びており、その他端部が図示しない排水管に接続されている。
【００４６】
連結管部３３は、図１中散点模様を付した部位であり、第１配管部３１の他端部（下端部）と、第２配管部３２の一端部とを連結している。また、連結管部３３の下部内周面は、水平方向に延びる湾曲面状をなしている。
【００４７】
さらに、本実施形態では、配管３の内周面のうち、排水の流れる流路を形成する面は、滑面状（内周側に突出する突起等が存在しない形状）とされている。すなわち、少なくとも第１配管部３１のうち排水口部材２よりも下方に位置する部位の内周面、連結管部３３の内周面、及び、第２配管部３２の内周面は、それぞれ滑面状とされている。
【００４８】
支持軸機構４は、排水口部材２及び配管３のうち少なくとも配管３（本実施形態では、排水口部材２及び配管３の双方）の内周に配置されている。支持軸機構４は、所定の樹脂からなる棒状の支持軸４１と、当該支持軸４１の外周に配置された筒状部４２と、筒状部４２の外周から径方向外側に延びる移動規制手段としてのヘアキャッチャー４３と、支持軸４１と同軸状に延びる棒状の機構支持部４４とを備えている。
【００４９】
支持軸４１は、その上端部が栓蓋５の背面中央に設けられた筒状の嵌合部５１に嵌合されており、栓蓋５が着脱可能な状態で取付けられている。また、支持軸４１の上端部外周には、環状の溝が形成されており、当該溝には、径方向に沿って弾性変形可能な環状のＯリング７が配置されている。当該Ｏリング７は、支持軸４１の外周面から径方向外側に若干突出しており、嵌合部５１に支持軸４１を嵌合した際に、支持軸４１の外周面及び嵌合部５１の内周面に挟み込まれるようになっている。その結果、支持軸４１の軸方向に沿って栓蓋５及び支持軸４１を離間させる方向に力を加えることで、支持軸４１から栓蓋５を取外すことができるものの、支持軸４１から栓蓋５を取外す際に必要な力が比較的大きなものとなっている。
【００５０】
筒状部４２は、支持軸４１を上下動可能な状態で保持している。また、筒状部４２は、その内部に、栓蓋５の上面に対する押動により、支持軸４１を所定の上方位置にて保持することと、支持軸４１を所定の下方位置にて保持することとを交互に行うことが可能な図示しない機構部（例えば、スラストロック機構など）を備えている。
【００５１】
ヘアキャッチャー４３は、外周に位置する円環状の円環部４３Ａと、筒状部４２及び円環部４３Ａ間に位置するネット部４３Ｂとを備えている。
【００５２】
円環部４３Ａは、その外径が排水口部材２の最小内径とほぼ等しいものとされている。そして、円環部４３Ａは、排水口部材２の内周において、その外周部分の全周が、排水口部材２の内周面にほぼ接触するようにして配設されている。これにより、支持軸機構４のその径方向に沿った移動が規制されるようになっている。尚、「ほぼ接触」とあるのは、円環部４３Ａの外周部分全周が排水口部材２の内周面と接触している場合のみならず、円環部４３Ａの外周部分と排水口部材２の内周面との間に微小な（例えば、径方向に沿った幅が１ｍｍ以下の）隙間が存在している場合も含む。
【００５３】
ネット部４３Ｂは、上下に貫通する多数の孔部（図示せず）を有しており、当該孔部を通して水が排出されるようになっている。その一方で、個々の孔部の大きさは十分に小さくされており、ネット部４３Ｂにより、排水とともに流れてくるゴミや毛髪等が捕集されるようになっている。
【００５４】
機構支持部４４は、筒状部４２から鉛直下方に延びており、少なくとも支持軸４１を前記上方位置にて保持しているときにおいて、その下端部が連結管部３３の内周面のうち、支持軸機構４の鉛直下方に位置する面に接触している。つまり、本実施形態において、支持軸機構４は、少なくとも支持軸４１を前記上方位置にて保持しているときにおいて、配管３（連結管部３３）により支持されている。尚、「機構支持部４４が、少なくとも支持軸４１を前記上方位置にて保持しているときに連結管部３３に接触する」としているのは、排水口１０１を閉鎖すべく、支持軸４１を前記下方位置にて保持しているときには、栓蓋５の後述するシール部５３が洗面ボール１００に接触し、その結果、機構支持部４４が連結管部３３から離間することがあり得るためである。
【００５５】
栓蓋５は、ＰＯＭ等の樹脂からなる円板部５２と、当該円板部５２の外周下方側に設けられた弾性変形可能な素材（例えば、樹脂やゴム等）からなる環状のシール部５３とを備えている。円板部５２は、その表面がなだらかに湾曲する形状をなしており、当該表面は、外観品質の向上を図るべく、金属製の被覆部５２Ａで覆われている。
【００５６】
シール部５３は、前記下方位置にて支持軸４１が保持されることにより、その外周部分の全周が洗面ボール１００に対して接触する。シール部５３の外周部分全周が洗面ボール１００に接触することで、排水口１０１が閉鎖されることとなる。一方で、図２に示すように、前記上方位置にて支持軸４１が保持されることにより、シール部５３の外周部分全周は洗面ボール１００から離間した状態となる。これにより、排水口１０１が開放されることとなる。
【００５７】
また、本実施形態において、支持軸機構４は、機構支持部４４が連結管部３３に対し単に載置された状態であり、排水口部材２や配管３等に対し特段固定されていない。そのため、支持軸機構４に対して上方側に向けた力を加えることで、上方（洗面ボール１００の表面側）から、支持軸機構４を排水口部材２及び配管３の内周より引抜くことができるようになっている。
【００５８】
さらに、本実施形態では、栓蓋５を持ち上げて（栓蓋５に上方側に向けた力を加えて）、排水口部材２等から支持軸機構４及び栓蓋５を取外す（引抜く）際に必要な力が、支持軸４１から栓蓋５を取外す際に必要な力よりも小さくされている。そのため、栓蓋５を上方側へと引上げることで、図３に示すように、栓蓋５が支持軸機構４から外れることなく、栓蓋５及び支持軸機構４の双方を排水口部材２等から引抜くことができるようになっている。
【００５９】
そして、栓蓋５及び支持軸機構４を引抜いた状態において、排水口部材２の内周面、第１配管部３１のうち排水口部材２よりも下方に位置する部位の内周面、及び、連結管部３３の内周面は、径方向内側に向けて非突出状、つまり、径方向内側に向けて突出する部位が存在しない滑面状となっている。
【００６０】
以上詳述したように、本実施形態によれば、支持軸機構４が連結管部３３により支持される構成であるため、排水口部材２や配管３とは別に、支持軸機構４を支持するための部材を別途設ける必要がない。従って、排水栓装置１の簡素化及びコストの抑制を効果的に図ることができる。
【００６１】
さらに、支持軸機構４等を配管３等から引抜いた状態において、排水口部材２や連結管部３３等の内周面は滑面状とされており、大きな突起や凹み等が存在しない状態とされている。従って、排水口部材２やその奥に位置する連結管部３３等の内部を非常に容易に清掃することができ、極めて良好な清掃性を実現することができる。
【００６２】
加えて、支持軸機構４と栓蓋５とを別体とすることができるため、栓蓋５及び支持軸機構４を個別に清掃することができる。その結果、清掃性を一層高めることができる。
【００６３】
併せて、本実施形態では、栓蓋５を上方側へと引き上げることで、支持軸４１から栓蓋５が外れることなく、栓蓋５及び支持軸機構４を引抜くことができるようになっている。従って、栓蓋５や支持軸機構４の取外しを非常に容易なものとすることができる。その結果、清掃性の更なる向上や修理時などにおける良好なメンテナンス性の実現を図ることができる。
【００６４】
また、ヘアキャッチャー４３により、支持軸機構４のその径方向に沿った移動が規制されるため、支持軸機構４に傾きが生じてしまうことを抑制できる。従って、支持軸４１ひいてはこれに取付けられる栓蓋５に傾きが生じてしまうことをより確実に防止でき、排水口１０１を閉鎖するときに、栓蓋５（シール部５３の外周部分全周）と洗面ボール１００とをより確実に密着させることができる。その結果、排水口１０１の閉鎖時において、良好な水密性を確保することができる。
【００６５】
加えて、ヘアキャッチャー４３により、支持軸機構４の傾き抑制機能に加えて、毛髪やゴミ等の捕集といったヘアキャッチャーの本来的な機能も発揮されることとなる。そして、本実施形態では、円環部４３Ａの外周部分が全周に亘って排水口部材２の内周面にほぼ接触するようにして配置されているため、円環部４３Ａの外側から毛髪やゴミ等が流れてしまうことを抑制できる。これにより、ゴミ等をより確実に捕集することができる。
【００６６】
尚、上記実施形態の記載内容に限定されず、例えば次のように実施してもよい。勿論、以下において例示しない他の応用例、変更例も当然可能である。
【００６７】
（ａ）上記実施形態において、機構支持部４４は、伸縮不能な棒状をなしているが、図４に示すように、機構支持部６１が、自身の長さを調節可能な長さ調節手段６２を備えるように構成してもよい。長さ調節手段６２としては、例えば、筒状部４２から下方に延び、下端部外周に雄ねじ部６３Ａを有する棒状の脚元部６３と、雄ねじ部６３Ａを螺合可能な雌ねじ部６４Ａを内周に有する筒状の脚先部６４とを備え、雌ねじ部６４Ａに対する雄ねじ部６３Ａの螺合量を調節することで、機構支持部６１の長さを調節可能なものなどを挙げることができる。長さ調節手段を設けることで、洗面ボール１００のうち排水口１０１の閉鎖時に栓蓋５（シール部５３）と接触する部位に対する、栓蓋５の上下方向に沿った相対位置をより確実に狙いの位置とすることができる。従って、排水口１０１の閉鎖時には、洗面ボール１００に対して栓蓋５をより確実に密着させることができ、排水口１０１の開放時には、通水面積を十分に確保することができる。つまり、良好な水密性及び排水性能を得ることができる。
【００６８】
また、配管３の長さ（深さ）の違いに対応するために、多数の支持軸機構を用意する必要がなくなる。つまり、１又はごく少数の支持軸機構で長さ（深さ）の異なる様々な配管に対応することができる。従って、排水栓装置１の設置作業を簡便にできるとともに、コストの抑制を図ることができる。
【００６９】
尚、脚元部６３の外周にナット部材６５を設け、当該ナット部材６５により脚元部６３に対する脚先部６４の相対回転を規制することで、機構支持部６１の長さに意図しない変動が生じてしまうことを防止できるように構成してもよい。
【００７０】
（ｂ）上記実施形態では特に記載していないが、水の入ったバケツ等の重量物が栓蓋５に載置されてしまったり、栓蓋５を手で強く押し込んでしまったりした場合など、支持軸機構４に下方側に向けた力が加えられた場合に、支持軸機構４に加えられた力を吸収するためのショックアブソーバー手段を、筒状部４２の内部などに設けることとしてもよい。この場合には、配管３の破損をより確実に防止することができる。
【００７１】
また、ショックアブソーバー手段を前記長さ調節手段６２と一体化してもよい。このようなショックアブソーバー手段６６としては、例えば、図５に示すように、機構支持部６１の下端部を構成し上下方向に移動可能な脚底部６７と、脚底部６７に対して下方に向けて付勢する弾性部材６８とを備え、支持軸機構４に対し下方側に向けた力が加わった際に、弾性部材６８が圧縮変形するように構成したものなどを挙げることができる。ショックアブソーバー手段６６と長さ調節手段６２とを一体化することで、機構支持部６１の簡素化を図ることができる。
【００７２】
尚、弾性部材６８の上下方向に沿った圧縮変形可能量は、排水口１０１を開放したときにおける栓蓋５のリフト量よりも大きくなるように構成することが好ましい。この場合には、配管３の破損を一層効果的に防止することができる。
【００７３】
また、弾性部材６８としては、バネ定数が比較的大きく、排水口１０１の開放時において、栓蓋５及び支持軸機構４の受ける水圧に起因する力が加えられている状態では、ほとんど圧縮変形しないものを用いることが好ましい。
【００７４】
（ｃ）上記実施形態において、栓蓋５は、自身の嵌合部５１に支持軸４１が嵌合されることで支持軸４１に取付けられている。これに対して、図６に示すように、嵌合部５１の内周に雌ねじ部５１Ａを設け、支持軸４１の先端部に設けられた雄ねじ部４１Ａを前記雌ねじ部５１Ａに螺合することで、支持軸４１に栓蓋５が取付けられるように構成してもよい。この場合には、雌ねじ部５１Ａに対する雄ねじ部４１Ａの螺合量を調節することで、支持軸４１の軸方向に沿った、支持軸４１に対する栓蓋５の相対位置を調節することができる。これにより、洗面ボール１００に対する栓蓋５（シール部５３）の上下方向に沿った相対位置を調節することができ、洗面ボール１００に対する栓蓋５の上下方向に沿った相対位置をより確実に狙いの位置とすることができる。その結果、排水口１０１の閉鎖時には、洗面ボール１００に栓蓋５（シール部５３）をより確実に密着させることができ、排水口１０１の開放時には、通水面積を十分に確保することができる。つまり、良好な水密性及び排水性能を得ることができる。
【００７５】
さらに、支持軸４１に対する栓蓋５の相対位置を調節可能とすることで、配管の長さ（深さ）の違いに対応するために、多数の支持軸機構を用意する必要がなくなり、１又はごく少数の支持軸機構で長さ（深さ）の異なる様々な配管に対応することができる。従って、排水栓装置１の設置作業を簡便にできるとともに、コストの抑制を図ることができる。
【００７６】
尚、上記においては、雄ねじ部４１Ａ及び雌ねじ部５１Ａにより、「栓蓋上下位置調節手段」が構成されている。また、長さ調節手段６２を設ける場合と同様に、支持軸４１の外周にナット部材４５を設け、当該ナット部材４５により支持軸４１に対する栓蓋５の相対回転を規制することで、栓蓋５（シール部５３）の上下方向に沿った位置に意図しない変動が生じてしまうことを防止できるように構成してもよい。
【００７７】
（ｄ）図７に示すように、機構支持部４４が、連結管部３３の内周面に接触する部位に、第１の磁石７１を備えるとともに、配管３（連結管部３３）が、支持軸機構４（機構支持部４４）の鉛直下方に位置する部位に、連結管部３３により支持軸機構４を支持している状態において、前記第１の磁石７１に引き寄せられる第２の磁石７２を備えることとしてもよい。この場合には、両磁石７１，７２により、支持軸機構４が、配管３のうちその鉛直下方に位置する部位へと引き寄せられることとなる。従って、支持軸機構４のその径方向に沿った移動をより確実に規制することができる。また、仮に支持軸機構４が移動したとしても、磁力により支持軸機構４を適正な位置へと戻らせることも期待できる。その結果、支持軸機構４に傾きが生じてしまうことをより確実に抑制でき、排水口１０１の閉鎖時における水密性を一層高めることができる。
【００７８】
また、栓蓋５は、重力に加えて、両磁石７１，７２による磁力が作用することで、下方に向けてより強く押付けられた状態となる。従って、排水口１０１の閉鎖時において、浴槽１００に対し栓蓋５（シール部５３）をより確実に密着させることができる。その結果、上述の通り、支持軸機構４の傾き抑制が図られることと相俟って、排水口１０１の閉鎖時における水密性を格段に向上させることができる。
【００７９】
尚、第２の磁石７２は、図７のように、配管３の内部空間に露出するように構成してもよいし、図８（ａ），（ｂ）に示すように、配管３の外部や配管３の肉部分の内部に設けることとしてもよい。配管３の外部や配管３の肉部分の内部に第２の磁石７２を設けた場合には、連結管部３３の内周面において、第２の磁石７２に起因する継ぎ目の形成が抑えられるため、衛生性や清掃性を一層高めることができる。
【００８０】
また、図９に示すように、第１の磁石７１を、機構支持部４４のうち、連結管部３３の内周面に接触する部位の近傍（例えば、機構支持部４４の内部）に設けることとしてもよい。
【００８１】
尚、必ずしも２つの磁石を設ける必要はなく、両磁石のうちの一方を、両磁石のうちの他方（第１の磁石に相当する）に引き寄せられる、鉄やコバルト、ニッケル等からなる磁性体としてもよい。
【００８２】
（ｅ）上記実施形態では、ヘアキャッチャー４３が排水口部材２の内周面にほぼ接触することで、支持軸機構４のその径方向に沿った移動が規制されるように構成されている。これに対し、例えば、ヘアキャッチャー４３の外周部が排水口部材２の鍔部２１に載置されるように構成し、ヘアキャッチャー４３が洗面ボール１００（垂下部１０２）にほぼ接触することで、支持軸機構４のその径方向に沿った移動が規制されるように構成してもよい。また、ヘアキャッチャー４３が配管３（第１配管部３１）の内周面に接触することで、支持軸機構４のその径方向に沿った移動が規制されるように構成してもよい。
【００８３】
さらに、ヘアキャッチャーを上下に複数（例えば、２つ）設けることとし、各ヘアキャッチャーの外周部が排水口部材２等にほぼ接触するように構成することで、支持軸機構４のその径方向に沿った移動をより確実に規制できるようにしてもよい。
【００８４】
（ｆ）上記実施形態では、ヘアキャッチャー４３によって移動規制手段が構成されているが、移動規制手段をヘアキャッチャー以外の部品等により構成してもよい。従って、例えば、筒状部４２の外周に、径方向外側に突出する突起部を周方向に沿って間隔を隔てて複数設け、当該突起部の最外周部が排水口部材２等にほぼ接触することで、支持軸機構４のその径方向に沿った移動が規制されるように構成してもよい。
【００８５】
（ｇ）上記実施形態では、支持軸４１から栓蓋５を取外す際に必要な力が比較的大きなものとされており、栓蓋５に力を加えることで、栓蓋５及び支持軸機構４を配管３等から引き抜くことができるようになっている。これに対し、支持軸４１から栓蓋５を取外す際に必要な力を比較的小さなものとし、支持軸４１から栓蓋５が容易に取外せるように構成してもよい。このように構成した場合であっても、支持軸機構４に対し上方側に向けた力を加える（支持軸機構４を引上げる）ことで、支持軸機構４を排水口部材２及び配管３から引抜くことができる。
【００８６】
（ｈ）上記実施形態では、栓蓋５（シール部５３）が洗面ボール１００に接触することで、排水口１０１が閉鎖されるように構成されているが、栓蓋５（シール部５３）が排水口部材２に接触することで、排水口１０１が閉鎖されるように構成してもよい。
【００８７】
（ｉ）上記実施形態では、雄ねじ部２２を雌ねじ部３１Ａに螺合することで、排水口部材２と配管３とが接続されているが、両者の接続手法はこれに限られるものではない。従って、例えば、排水口部材２の外周に設けられた窪み状の被係止部に対し、配管３の内周に設けられた突起状の係止部を係止することで、両者を接続することとしてもよい。
【００８８】
（ｊ）上記実施形態において、支持軸機構４は、排水口部材２及び配管３の双方の内周に配置されているが、支持軸機構４が、配管３の内周のみに配置されるように構成してもよい。
【００８９】
（ｋ）上記実施形態において、排水栓装置１は、槽体として洗面ボール１００に取付けられているが、排水栓装置１の取付対象は洗面ボールに限られるものではなく、その他の槽体（例えば、浴槽やユニットバスの洗い場等）であってもよい。
【符号の説明】
【００９０】
１…排水栓装置、２…排水口部材、３…配管、４…支持軸機構、５…栓蓋、３１…第１配管部、３２…第２配管部、３３…連結管部、４３…ヘアキャッチャー（移動規制手段）、４３Ａ…円環部、４３Ｂ…ネット部、４４，６１…機構支持部、６２…長さ調節手段、６６…ショックアブソーバー手段、１００…洗面ボール（槽体）、１０１…排水口。
【図１】
2016017382.tif 000003
【図２】
2016017382.tif 000004
【図３】
2016017382.tif 000005
【図４】
2016017382.tif 000006
【図５】
2016017382.tif 000007
【図６】
2016017382.tif 000008
【図７】
2016017382.tif 000009
【図８】
2016017382.tif 000010
【図９】
2016017382.tif 000011